(57)【要約】【課題】バール孔の下方部を覆う袋状片と受け枠の周壁とで袋状部屋とを構成した地表設置鉄蓋で、蓋の浮上防止装置を解除して蓋を開けるのに特殊なバールあるいは開閉工具を使用せず、貫通したバール孔に通常使用される先端がＴ字状のバールで蓋の開閉を可能とすることを目的とする。【解決手段】円形状の受け枠と、受け枠の上部開口を開閉する蓋と、受け枠と蓋とを連結する蝶番と、蓋の蝶番と対向する周縁にバール孔を刻設し、バール孔の下方部を覆う袋状片と受け枠の周壁とで袋状部屋とを構成した地表設置鉄蓋において、受け枠内面に浮上防止具を摺動自在に設け、蓋裏面に突設した係り止めを前記浮上防止具に係合させるようにした地表設置鉄蓋の浮上防止装置とした。【選択図】　図９
2004084318.tif 000002
【特許請求の範囲】
【請求項１】
円形状の受け枠と、受け枠の上部開口を開閉する蓋と、受け枠と蓋とを連結する蝶番と、蓋の蝶番と対向する周縁にバール孔を刻設し、バール孔の下方部を覆う袋状片と受け枠の周壁とで袋状部屋とを構成した地表設置鉄蓋において、受け枠内面に浮上防止具を摺動自在に設け、蓋裏面に突設した係り止めを前記浮上防止具に係合させるようにした地表設置鉄蓋の浮上防止装置。
【請求項２】
受け枠内面の袋状片の両側にＬ字状ガイドを突設させ、枠体の両側に対向させてカギ部材を下端をボルトで支持させて摺動自在に起立させ、枠体の下部に係止片を直交状に取付けた浮上防止具を、前記Ｌ字状ガイドに摺動自在に抱持させ、蓋裏面に突設した係り止めを前記カギ部材と係合させるようにした請求項１記載の地表設置鉄蓋の浮上防止装置。
【発明の詳細な説明】
【０００１】
【発明の属する技術分野】
本発明は、地表設置鉄蓋の浮上防止装置に関し、特に、バール孔の下方部を覆う袋状片と受け枠の周壁とで袋状部屋とを構成した地表設置鉄蓋の浮上防止装置についてのものである。
【０００２】
【従来の技術】
バール孔の下方部を覆う袋状片と受け枠の周壁とで袋状部屋とを構成した地表設置鉄蓋では、袋状部屋には上部からの水、土砂が入らないように密閉され、蓋の浮上防止装置を解除して蓋を開ける方法に工夫が必要で、特殊なバールまたは開閉工具を使用しなければならなかった。
【０００３】
【発明が解決しようとする課題】
バール孔の下方部を覆う袋状片と受け枠の周壁とで袋状部屋とを構成した地表設置鉄蓋で、蓋の浮上防止装置を解除して蓋を開けるのに特殊なバールあるいは開閉工具を使用せず、貫通したバール孔に通常使用される先端がＴ字状のバールで蓋の開閉を可能にすることが求められている。
【０００４】
【課題を解決するための手段】
そこで、本発明は、バール孔の下方部を覆う袋状片と受け枠の周壁とで袋状部屋とを構成した地表設置鉄蓋で、蓋の浮上防止装置を解除して蓋を開けるのに特殊なバールあるいは開閉工具を使用せず、貫通したバール孔に通常使用される先端がＴ字状のバールで蓋の開閉を可能とすべく、円形状の受け枠と、受け枠の上部開口を開閉する蓋と、受け枠と蓋とを連結する蝶番と、蓋の蝶番と対向する周縁にバール孔を刻設し、バール孔の下方部を覆う袋状片と受け枠の周壁とで袋状部屋とを構成した地表設置鉄蓋において、受け枠内面に浮上防止具を摺動自在に設け、蓋裏面に突設した係り止めを前記浮上防止具に係合させるようにした地表設置鉄蓋の浮上防止装置とした。
【０００５】
また、本発明は、バール孔の下方部を覆う袋状片と受け枠の周壁とで袋状部屋とを構成した地表設置鉄蓋で、蓋の浮上防止装置を解除して蓋を開けるのに特殊なバールあるいは開閉工具を使用せず、貫通したバール孔に通常使用される先端がＴ字状のバールで蓋の開閉を可能とすべく、より具体的には、受け枠内面の袋状片の両側にＬ字状ガイドを突設させ、枠体の両側に対向させてカギ部材を下端をボルトで支持させて摺動自在に起立させ、枠体の下部に係止片を直交状に取付けた浮上防止具を、前記Ｌ字状ガイドに摺動自在に抱持させ、蓋裏面に突設した係り止めを前記カギ部材と係合させるようにした。
【０００６】
【発明の実施の態様】
本発明を、添付する図面に基づいて以下詳細に説明する。
【０００７】
図１および図２に本発明の全体の概略を示す。本発明の地表設置鉄蓋は、円形状の受け枠１と、受け枠１の上部開口を開閉する蓋２と、受け枠１と蓋２とを連結する蝶番３とよりなる。
【０００８】
蝶番３は略円弧状に形成し、上端に支軸４を設け、下端に係止片５を突設させている。
【０００９】
蓋２の蝶番３と対向する周縁にバール孔６を刻設し、バール孔６から水、土砂が入らないように、バール孔６の下方部を覆う袋状片７と受け枠１の周壁８とで密閉状の袋状部屋９を構成させる。符号１０は補助バール孔である。
【００１０】
図３、図４には、受け枠１内面の袋状片７の両側にＬ字状ガイド１１を突設する。受け枠１の下方に係止め用部屋２５を形成する。
【００１１】
図５、図６には、蓋２裏面に係り止め１２を突設した状態で、図６は蓋２の裏面中心方向から見た図である。
【００１２】
図７は、受け枠１と蓋２とに取付ける浮上防止具１３の組立図である。
【００１３】
図８は浮上防止具１３の分解斜視図で、枠体１４の両側に対向させてカギ部材１５を下端をボルト１６で支持させて揺動自在に起立させる。カギ部材１５のボルト１６が入る部分は長孔１７とし、カギ部材１５はボルト１６に対して上下方向に移動可能とされている。また、両カギ部材１５は先端が内方へ傾斜するように、その中央の孔１８間に引っ張りバネ２４を張設する。
【００１４】
枠体１４の下部の水平状の長孔１９に、起立板２０から係止片２１を水平状に突設した係止具２２の係止片２１を挿入させる。その後、ボルト１６の先端にナット２３を螺着させる。
【００１５】
浮上防止具１３の組立ては、組立てを完了しておくと係止片２１が干渉して組立てできないので、先ず、枠体１４に引っ張りバネ２４を取付けたカギ部材１５をボルト１６で連結し、ナット２３を締めないで、受け枠１のＬ字状ガイド１１に挿入させ、係止具２２の係止片２１が係り止め用部屋２５に入る位置で、係止片２１を枠体１４の長孔１９に挿入し、ボルト１６の先端にナット２３を螺着して固定する。
【００１６】
内圧により蓋２が持ち上げられた場合、２本のカギ部材１５が蓋２裏面の係り止め１２が係合しているので、カギ部材１５の長孔１７ぶんカギ部材１５が蓋２と一緒に持ち上がり、さらにカギ部材１５が枠体１４を引上げ、係止片２１が係り止め部屋２５の最上部に達して停止し、蓋２が飛散せず、また内圧を下げるのに十分な隙間を作ることができる。
【００１７】
次に、蓋２の開閉方法について述べる。
【００１８】
図１０に示すように、通常使用する先端がＴ字状のバール２６を、Ｔ字の長手方向が蓋２の中心に向かうようにしてバール孔６に差し込む。
【００１９】
図１１に示すように、バール２６を軸を中心に９０°回転し、蓋２をこじるようにして蓋２の食い込みを開放する。
【００２０】
次に、図１２に示すように、バール２６を差し込んだままで蓋２を上方に引上げ、蓋２の下端が受け枠１の上端より上にきたと思われる時点で受け枠１の外方に蓋２を引き出す。
【００２１】
浮上防止のカギ部材１５が係り止め１２との係合が外れて、図１３に示すように浮上防止具１３は自重で落下する。蓋２を持ち上げた状態で引き出し、図１４に示すように右または左に水平旋回させて蓋２の開口部を露出させる。
【００２２】
蓋２を閉める場合は、蓋２を旋回させた元の位置に戻し、蓋２を受け枠１に嵌合させる。
【００２３】
蓋２裏面の係り止め１２が引っ張りバネ２４の張力に抗して、カギ部材１５を図１５に示すように両側に押し拡げ、蓋２が所定の位置に収まると、引っ張りバネ２４でカギ部材１５が内方へ引っ張られ係り止め１２と係合する。
【００２４】
蓋２の開閉方法は、袋式密閉でない貫通したバール孔のものと同じなので、開閉工具であるバールは兼用できる。
【００２５】
【発明の効果】
本発明は、上述のように、円形状の受け枠と、受け枠の上部開口を開閉する蓋と、受け枠と蓋とを連結する蝶番と、蓋の蝶番と対向する周縁にバール孔を刻設し、バール孔の下方部を覆う袋状片と受け枠の周壁とで袋状部屋とを構成した地表設置鉄蓋において、受け枠内面に浮上防止具を摺動自在に設け、蓋裏面に突設した係り止めを前記浮上防止具に係合させるようにした地表設置鉄蓋の浮上防止装置であるので、バール孔の下方部を覆う袋状片と受け枠の周壁とで袋状部屋とを構成した地表設置鉄蓋で、蓋の浮上防止装置を解除して蓋を開けるのに特殊なバールあるいは開閉工具を使用せず、貫通したバール孔に通常使用される先端がＴ字状のバールで蓋の開閉が可能である。
【００２６】
また、本発明は、具体的には、受け枠内面の袋状片の両側にＬ字状ガイドを突設させ、枠体の両側に対向させてカギ部材を下端をボルトで支持させて摺動自在に起立させ、枠体の下部に係止片を直交状に取付けた浮上防止具を、前記Ｌ字状ガイドに摺動自在に抱持させ、蓋裏面に突設した係り止めを前記カギ部材と係合させるようにした地表設置鉄蓋の浮上防止装置であるので、バール孔の下方部を覆う袋状片と受け枠の周壁とで袋状部屋とを構成した地表設置鉄蓋で、蓋の浮上防止装置を解除して蓋を開けるのに特殊なバールあるいは開閉工具を使用せず、貫通したバール孔に通常使用される先端がＴ字状のバールで蓋の開閉が可能である。
【図面の簡単な説明】
【図１】本発明に係る地表設置鉄蓋の具体的な一実施例の平面図である。
【図２】図１の縦断面図である。
【図３】本発明のＬ字状ガイドを示す平面図である。
【図４】図３の縦断面図である。
【図５】本発明の蓋裏面周縁のバール孔の近傍に突設した係り止めの斜視図である。
【図６】図５の係り止めを蓋裏面中心方向から見た斜視図である。
【図７】受け枠と蓋とに装着する浮上防止具の組み立てた状態の斜視図である。
【図８】図７の浮上防止具の分解斜視図である。
【図９】内圧により蓋が持ち上がり内圧を下げる十分な隙間がある状態を示す側面図と縦断面図である。
【図１０】通常使用する先端がＴ字状のバールを蓋のバール孔に差し込む状態を示す側面図と縦断面図である。
【図１１】バールを軸を中心に９０°回転し、蓋をこじるようにして蓋の食い込みを開放する状態を示す側面図と縦断面図である。
【図１２】バールをバール孔に差し込んだまま蓋を上方に引き上げた状態を示す側面図と縦断面図である。
【図１３】浮上防止具が蓋より外れ、蓋を外に引き出す状態を示す縦断面図である。
【図１４】蓋を水平旋回させる状態の縦断面図である。
【図１５】受け枠の上部開口を蓋で閉める際、蓋の係り止めが受け枠のカギ部材と係合しようとする状態を示す側面図である。
【符号の説明】
１…受け枠
２…蓋
３…蝶番
６…バール孔
７…袋状片
８…周壁
９…袋状部屋
１３…浮上防止具
１１…Ｌ字状ガイド
１４…枠体
１５…カギ部材
１６…ボルト
２１…係止片
１２…係り止め
【図１】
2004084318.tif 000003
【図２】
2004084318.tif 000004
【図３】
2004084318.tif 000005
【図４】
2004084318.tif 000006
【図５】
2004084318.tif 000007
【図６】
2004084318.tif 000008
【図７】
2004084318.tif 000009
【図８】
2004084318.tif 000010
【図９】
2004084318.tif 000011
【図１０】
2004084318.tif 000012
【図１１】
2004084318.tif 000013
【図１２】
2004084318.tif 000014
【図１３】
2004084318.tif 000015
【図１４】
2004084318.tif 000016
【図１５】
2004084318.tif 000017